(57)【要約】      （修正有）【課題】一般的なズボンと同様な方法で着脱でき、かつ着用時には活発の動きができる祭り用股引きの提供。【解決手段】右腰部１１の上左側に右脚開口部を有する筒状の右脚部１３と、左腰部２１の上右側に左脚開口部を有する筒状の左脚部２３とを備え、右脚部の右脚開口部の端部１４は、左脚部の左脚開口部内に挿入されており、右脚部の上部前方側と左脚部の上部前方側とが重ねられて着用者の腹部を覆う腹部領域３０となり、右脚部の上部後方側と左脚部の上部後方側とが重ねられて着用者の尻部を覆う尻部領域４０となり、右脚開口部の端部が、左脚部の左腰部の内側で逢着部を形成しており、左脚開口部の端部２４は、その上部が右脚部の右腰部の外側で逢着部を形成しており、下部は非逢着部を形成して開口状態である。【選択図】図１
0003216670.tif 000002
【実用新案登録請求の範囲】
【請求項１】
右腰部（１１）の上左側に右脚開口部（１２）を有する筒状の右脚部（１３）と、
左腰部（２１）の上右側に左脚開口部（２２）を有する筒状の左脚部（２３）とを備え、
右脚部（１３）の右脚開口部（１２）の端部（１４）は、左脚部（２３）の左脚開口部（２２）内に挿入されており、
右脚部（１３）の上部前方側と前記左脚部（２３）の上部前方側とが重ねられて着用者の腹部を覆う腹部領域（３０）となり、
前記右脚部（１３）の上部後方側と前記左脚部（２３）の上部後方側とが重ねられて着用者の尻部を覆う尻部領域（４０）となり、
前記右脚開口部（１２）の端部（１４）が、前記左脚部（２３）の左腰部（２１）の内側で逢着部を形成しており、
前記左脚開口部（２２）の端部（２４）は、
その上部が前記右脚部（１３）の右腰部（１１）の外側で逢着部を形成しており、
下部は非逢着部を形成して開口状態であることを特徴とする祭り用股引き（１０ａ）。
【請求項２】
右腰部（１１）の上左側に右脚開口部（１２）を有する筒状の右脚部（１３）と、
左腰部（２１）の上右側に左脚開口部（２２）を有する筒状の左脚部（２３）とを備え、
前記左脚部（２３）の左脚開口部（２２）の端部（２４）は、右脚部（１３）の右脚開口部（１２）内に挿入されており、
前記左脚部（１３）の上部前方側と前記右脚部（１３）の上部前方側とが重ねられて着用者の腹部を覆う腹部領域（３０）となり、
前記左脚部（２３）の上部後方側と前記右脚部（１３）の上部後方側とが重ねられて着用者の尻部を覆う尻部領域（４０）となり、
前記左脚開口部（２２）の端部（２４）が、前記右脚部（１３）の右腰部（１１）の内側で逢着部を形成しており、
前記右脚開口部（１２）の端部（１４）は、
その上部が前記左脚部（２３）の左腰部（２１）の外側で逢着部を形成しており、
下部は非逢着部を形成して開口状態であることを特徴とする祭り用股引き（１０ｂ）。
【請求項３】
右脚部（１３）及び左脚部（２３）に生地の一部を、伸縮性の大きい別生地を配設したことを特徴とする請求項１又は２に記載の祭り用股引き（１０ｃ）。
【考案の詳細な説明】
【技術分野】
【０００１】
本願考案は、祭り用衣裳、特に詳しくは、祭りの際に、下半身に着用されるに祭り用股引きに関する。
【背景技術】
【０００２】
祭りなどにおいて着用される股引きは、一般的なズボンとは異なり、腰部が予め形成されておらず、腰紐を用いて腰部を自ら形成していた。
また、尻部領域は予め形成されておらず、股間部から左右に展開される尻部被覆布を、交互に重畳させることにより、尻部領域を自ら形成していた。
このような腰部や尻部領域は着用者が股引きを着用して腰紐を結ぶことにより形成され、股引きの着脱は、腰紐を結びまたは解くことによって行っていた。
【０００３】
このような祭り用股引きの着脱の不便さを解消すべく、ズボン型股引ききが提案されている。
すなわち、特許文献１に記載のように、予め前股ぐり部を形成しファスナを設ける構成としたものや、特許文献２に記載のように、下腹部を被覆する被覆部分が左右に区分され、その中央に小便用開口部を設けた構成としたものがある。
また、特許文献３に記載のように、ウエスト部に面ファスナを設け、後腰部で交差する尻部被覆部を一時的に係止させることができる構成の股引きがある。
【０００４】
しかし、従来のズボン型股引ききは、尻部が左右に別れていないものであるため脱ぎ着が容易ではなく、伸縮性に乏しく、着用時において活発な動きができないなどの問題があった。
【先行技術文献】
【特許文献】
【０００５】
【特許文献１】特開２００３−２７８０１０号公報
【特許文献２】登録実用新案第３１３２８３２号公報
【特許文献３】登録実用新案第３１４３４２３号公報
【考案の概要】
【考案が解決しようとする課題】
【０００６】
本考案は、上記諸点に鑑みてなされたものであって、その目的とするところは、一般的なズボンと同様な方法で着脱でき、かつ着用時には活発の動きができる祭り用股引きを提供することである。
【課題を解決するための手段】
【０００７】
（１）本考案の祭り用股引きは、
右腰部１１の上左側に右脚開口部１２を有する筒状の右脚部１３と、
左腰部２１の上右側に左脚開口部２２を有する筒状の左脚部２３とを備え、
右脚部１３の右脚開口部１２の端部１４は、左脚部２３の左脚開口部２２内に挿入されており、
右脚部１３の上部前方側と前記左脚部２３の上部前方側とが重ねられて着用者の腹部を覆う腹部領域３０となり、
前記右脚部１３の上部後方側と前記左脚部２３の上部後方側とが重ねられて着用者の尻部を覆う尻部領域４０となり、
前記右脚開口部１２の端部１４が、前記左脚部２３の左腰部２１の内側で逢着部を形成しており、
前記左脚開口部２２の端部２４は、
その上部が前記右脚部１３の右腰部１１の外側で逢着部を形成しており、
下部は非逢着部を形成して開口状態であることを特徴とする。
（２）本考案の祭り用股引きは、
右腰部１１の上左側に右脚開口部１２を有する筒状の右脚部１３と、
左腰部２１の上右側に左脚開口部２２を有する筒状の左脚部２３とを備え、
前記左脚部２３の左脚開口部２２の端部２４は、右脚部１３の右脚開口部１２内に挿入されており、
前記左脚部１３の上部前方側と前記右脚部１３の上部前方側とが重ねられて着用者の腹部を覆う腹部領域３０となり、
前記左脚部２３の上部後方側と前記右脚部１３の上部後方側とが重ねられて着用者の尻部を覆う尻部領域４０となり、
前記左脚開口部２２の端部２４が、前記右脚部１３の右腰部１１の内側で逢着部を形成しており、
前記右脚開口部１２の端部１４は、
その上部が前記左脚部２３の左腰部２１の外側で逢着部を形成しており、
下部は非逢着部を形成して開口状態であることを特徴とする。
（３）本考案の祭り用股引きは、上記（１）又は（２）において、
右脚部１３及び左脚部２３に生地の一部を、伸縮性の大きい別生地を配設したことを特徴とする。
【０００８】
なお、本明細書において、「伸縮性」とは、生地そのものが伸縮する場合や、裁断の仕方で、特定の方向への伸縮率が優れている場合を含む。
【考案の効果】
【０００９】
本考案の祭り用股引きは、左脚部と左腹部と左尻部とからなる衣裳の左半分が、右脚部と右腹部と右尻部とからなる衣裳の左半分に対して、開口部を含む腹部の略中央においてのみつながっており、股下部と尻部とにおいてはつながっていないものであるため、脱着が容易であり、祭りの動作においても、脚を無理なく大きく開くことができるものである。
さらに、生地には伸縮性がある合成繊維を用い、ズボン型としたのでデザイン性に優れるという効果もある。
【図面の簡単な説明】
【００１０】
【図１】実施形態１の祭り用股引き１０ａの全体を示す背面斜視図である。
【図２】実施形態１の祭り用股引き１０ａを左脚部と右脚部に分解した状態を示す背面斜視図である。
【図３】実施形態２の祭り用股引き１０ｂを左脚部と右脚部に分解した状態を示す背面斜視図である。
【図４】実施形態３の祭り用股引き１０ｃの全体を示す背面斜視図である。
【考案を実施するための形態】
【００１１】
＜実施形態１の祭り用股引き１０ａ＞
以下、本考案の実施形態１の祭り用股引き１０ａを図面に基づいて説明する。
図１は、実施形態１の祭り用股引き１０ａの全体を示す背面斜視図である。
図２は、実施形態１の祭り用股引き１０ａを左脚部と右脚部に分解した状態を示す背面斜視図である。
【００１２】
＜祭り用股引き１０ａ全体＞
図示するように、実施形態の祭り用股引き１０ａは、右腰部１１の上左側に右脚開口部１２を有する筒状の右脚部１３と、左腰部２１の上右側に左脚開口部２２を有する筒状の左脚部２３とからなる。
右脚部１３の右脚開口部１２の端部１４は、左脚部２３の左脚開口部２２内に挿入されている。
また、右脚部１３の上部前方側と前記左脚部２３の上部前方側とが重ねられて着用者の腹部を覆う腹部領域３０となっている。
さらに、前記右脚部１３の上部後方側と前記左脚部２３の上部後方側とが重ねられて着用者の尻部を覆う尻部領域４０となっている。
前記右脚開口部１２の端部１４が、前記左脚部２３の左腰部２１の内側に逢着されて逢着部を形成している。
そして、前記左脚開口部２２の端部２４は、その上部が前記右脚部１３の右腰部１１の外側で逢着されて逢着部を形成し、下部は逢着されずに非逢着部を形成して開口状態である。
【００１３】
＜右脚部１３、左脚部２３＞
右脚部１３は、着用者の右腰を覆う右腰部１１の上左側に右脚開口部１２を有する。
左脚部２３は、着用者の左腰を覆う左腰部２１の上右側に左脚開口部２２を有する。
いずれも、着用者の足を覆う筒状のものであり、１枚の生地を筒状に裁断縫製したものでもよく、２枚以上の生地を縫製して筒状にしたものであってもよい。
【００１４】
＜右腰部１１、左腰部２１＞
右腰部１１は、右脚部１３の上部に配設され着用者の右腰を覆う部分である。
左腰部２１は、左脚部２３の上部に配設され着用者の左腰を覆う部分である。
【００１５】
＜腹部領域３０＞
腹部領域３０は、着用者の腹部を覆う領域をいい、右脚部１３の上部前方側と左脚部２３の上部前方側とが重ねられている部分である。
【００１６】
＜尻部領域４０＞
尻部領域４０は、着用者の尻部を覆う領域をいい、右脚部１３の上部後方側と左脚部２３の上部後方側とが重ねられている部分である。
また、この尻部領域４０は、右脚部１３の上方から左方へ延設された右尻領域４１と、左脚部２３の上方から右方へ延設された左尻領域４２とを備えている。
これらの右尻領域４１と左尻領域４２は、着用者の股下を覆う股下部４３で逢着されているが、開口部においては逢着されていない。
この開口部については後述する。
【００１７】
＜開口部＞
図２に示すように、実施形態１の祭り用股引き１０ａは、腹部領域３０と尻部領域４０との間において開口部が形成されている。
この開口部は、右脚部１３の右腰部１１と、左脚部２３の左腰部２１とを逢着する際に、右腰部１１と左腰部２１とによって形成される腹部領域３０と尻部領域４０の一部を逢着せずに、開口状態のままとしたものである。
すなわち、実施形態１の祭り用股引き１０ａは、右脚部１３は、その右腰部１１の上左側に右脚開口部１２を有する。
また、左脚部２３は、その左腰部２１の上右側に左脚開口部２２を有する。
このような右脚部１３と左脚部２３とを、右脚部１３の右脚開口部１２の端部１４が左脚部２３の左脚開口部２２内に挿入される。
【００１８】
そして、右脚部１３の上部前方側と左脚部２３の上部前方側とが重ねられて着用者の腹部を覆う腹部領域３０となり、右脚部１３の上部後方側と左脚部２３の上部後方側とが重ねられて着用者の尻部を覆う尻部領域４０となるのである。
その際に、右脚部１３の右腰部１１の上左側の右脚開口部１２の端部１４が左脚部２３の左腰部２１の内側に逢着されて逢着部を形成し、
左脚開口部２２の端部２４は、その上部が右脚部１３の右腰部１１の外側に逢着されて逢着部を形成し、
下部は逢着されずに非逢着部を形成し開口状態を形成している。
【００１９】
すなわち、右脚開口部１２はその端部１４が左脚部２３の左腰部２１の内側に逢着されているが、左脚開口部２２の端部２４は、その上部のみが左脚部の腰部内側に逢着（逢着部となる）されているが、
下部は開口状態（非逢着部となる）となっているということである。
この開口非逢着部の大きさは、脱着の容易性や股の開き易さなどの動作のスムーズ性などを考慮して適宜決定することができる。
このような状態では、しゃがむ動作や屈伸など、左右の脚の大きな動きにも対応することができる。
【００２０】
＜伸縮生地＞
本考案は、祭り用股引きを構成する生地そのものが伸縮性ある材料で構成することが望ましい。
例えば、伸縮性の高いポリウレタンなどの伸縮性の高い糸を木綿糸と併用したストレッチ性の高い布帛を用いることができる。
これにより、合成繊維糸を用いた伸縮性の高い生地を用いることによって、脱着や動作により容易となる。
【００２１】
＜ゴム紐＞
なお、祭り用股引き１０ａの腰部上部には、円環状に構成されたゴム紐５０が周方向に内挿されていることが望ましい。
【００２２】
＜実施形態２＞
図３は、実施形態２の祭り用股引き１０ｂを左脚部と右脚部に分解した状態を示す背面斜視図である。
実施形態２の祭り用股引き１０ｂは、挿入方向が実施形態１と異なるが、その他の点では実施形態１の祭り用股引き１０ａと同様である。
すなわち、実施形態２の祭り用股引き１０ｂは、左脚部２３の左脚開口部２２の端部２４が右脚部１３の右脚開口部１２内に挿入される。
そして、左脚部２３の左腰部２１の左脚開口部２２の端部２４が右脚部１３の右腰部１１の内側に逢着されて逢着部を形成し、
右脚開口部１２の端部１４は、その上部が左脚部２３の左腰部２１の外側に逢着されて逢着部を形成し、
下部は逢着されずに非逢着部を形成し開口状態を形成している。
【００２３】
＜実施形態３＞
図４は、実施形態３の祭り用股引き１０ｃの全体を示す背面斜視図である。
実施形態３の祭り用股引き１０ｃは、部分的に別生地を用いたものである。
すなわち、右脚部１３及び左脚部２３の下方は、円筒状として示しているが、その後方の一部には、伸縮性の大きい別生地を配設することも好ましい。
例えば、図４に示すように、後方において、大腿部からふくらはぎを覆う部分に、伸縮性のさらに大きいストレッチ生地を縫着して左右脚部を構成することもできる。
この場合、別の生地１３ａ，２３ａの形状を調整することにより、大腿部と裾の幅寸法を適宜な割合に調整し得る。
例えば、大腿部付近を広くすることにより、身頃全体のうち大腿部において余裕を有する状態とすることができ、裾において生地を省略することにより細く仕上げることができる。
【符号の説明】
【００２４】
１０ａ  実施形態１の祭り用股引き
１０ｂ  実施形態２の祭り用股引き
１０ｃ  実施形態３の祭り用股引き
１１  右腰部
１２  右脚開口部
１３  右脚部
１３ａ  別の生地
１４  右脚開口部１２の端部
２１  左腰部
２２  左脚開口部
２３  左脚部
２３ａ  別の生地
２４  左脚開口部２２の端部
３０  腹部領域
４０  尻部領域
４１  右尻領域
４２  左尻領域
４３  股下部
５０  ゴム紐
【図１】
0003216670.tif 000003
【図２】
0003216670.tif 000004
【図３】
0003216670.tif 000005
【図４】
0003216670.tif 000006